(57)【要約】【課題】木造建築物のバルコニー床に、所望の耐火性能及び防水性能を保持した状態で、避難ハッチを効率良く取り付けることのできる避難ハッチの取付け構造を提供する。【解決手段】バルコニー床１２には、上面耐火ボード１９が取り付けられていると共に、下面耐火ボード２０が取り付けられており、且つハッチ取付開口１６の内壁面を形成して、内壁面耐火ボード２１が取り付けられている。上面耐火ボード１９の上に、避難ハッチ１３の取付枠部材２２が、ハッチ取付開口１６を囲んで環状に取り付けられている。避難ハッチ１３は、筒状本体１３ａと取付けフランジ部１３ｂとを備えている。避難ハッチ１３は、取付けフランジ部１３ｂを取付枠部材２２の防水処理が施された上面２３に載置して荷重を支持させると共に、筒状本体１３ａの内側面からハッチ取付開口１６の内側面に向けて打込み固定部材２４を打ち込むことで、ハッチ取付開口１６に固定される。【選択図】図１
2014237934.tif 000002
【特許請求の範囲】
【請求項１】
木造建築物のバルコニー床に設置される避難ハッチの取付け構造であって、
前記バルコニー床には、床根太の上方に敷設された床下地板を覆って上面耐火ボードが取り付けられていると共に、床根太の下方に下面耐火ボードが取り付けられており、
且つ前記バルコニー床を上下に貫通して形成されたハッチ取付開口の内壁面を形成して、内壁面耐火ボードが、前記上面耐火ボードと前記下面耐火ボードとの間隔部分を閉塞するように取り付けられており、
前記ハッチ取付開口の開口周縁部分の前記上面耐火ボードの上に、前記避難ハッチの取付枠部材が取り付けられており、
前記避難ハッチは、筒状本体枠と、該筒状本体枠から外側に張り出して設けられた取付けフランジ部とを備えており、
前記避難ハッチは、前記取付けフランジ部を前記取付枠部材の防水処理が施された上面に載置して荷重を支持させると共に、前記筒状本体枠の内側面から前記ハッチ取付開口の内側面に向けて打込み固定部材を打ち込むことで、前記ハッチ取付開口に固定されている避難ハッチの取付け構造。
【請求項２】
前記バルコニー床の上面や前記取付枠部材の外周面には、ＦＲＰ防水による防水処理が施されている請求項１記載の避難ハッチの取付け構造。
【請求項３】
前記避難ハッチの前記取付けフランジ部と前記取付枠部材の上面との間に乾式コーキング材が挟み込まれている請求項１又は２記載の避難ハッチの取付け構造。
【請求項４】
前記上面耐火ボードの上方に断熱パネル部材が敷設されており、該断熱パネル部材の上方に、防水下地材が敷設されている請求項１〜３のいずれか１項記載の避難ハッチの取付け構造。
【請求項５】
前記取付枠部材の上端部分に防水下地材が取り付けられており、前記避難ハッチの前記取付けフランジ部が載置される上面は、前記防水下地材の上面によって形成されている請求項１〜４のいずれか１項記載の避難ハッチの取付け構造。
【発明の詳細な説明】
【技術分野】
【０００１】
本発明は、避難ハッチの取付け構造に関し、特に、木造建築物のバルコニー床に設置される避難ハッチの取付け構造に関する。
【背景技術】
【０００２】
例えば集合住宅を構成する４階建て以上の建物は、鉄筋コンクリート造りや鉄骨造りのものが一般的であるが、近年の木造建築物の技術の進展に伴って、４階建て以上の建物を、木造建築物として構築することが認められるようになっている。４階建て以上の建物を木造建築物として構築する場合、所望の耐火性能を備えることが必要になる他、バルコニーやベランダや屋外廊下等の屋外領域の床部分に避難ハッチを設けて、火災時等の非常時に、上階から下階にスムーズに避難できるようにする必要がある。
【０００３】
バルコニーやベランダや屋外廊下等の屋外領域の床部分（以下「バルコニー床」とする。）に避難ハッチを設ける場合、例えば鉄筋コンクリート造りの建物では、予め既製品として製作されている避難ハッチの取付けフランジ部を、コンクリート中に埋め込んだり、鉄筋等に溶接したりすることによって、バルコニー床に一体として取り付ける方法が採用されていたが、木造建築物では、このような施工方法を採用することが困難である。
【０００４】
このため、木造建築物のバルコニー床に避難ハッチを効率良く安定した状態で取り付けることを可能にする技術の開発が望まれており、一例として、避難ハッチを木造建築物のバルコニー床に鋼材を用いて設置した床構造が提案されている（例えば、特許文献１参照）。
【先行技術文献】
【特許文献】
【０００５】
【特許文献１】特開２００３−１３８６４３号公報
【発明の概要】
【発明が解決しようとする課題】
【０００６】
特許文献１の床構造では、優れた耐火性能が得られるようすると共に、防水性能を損うことなく避難ハッチを簡易に納めることができるように、鋼製のデッキプレートや、デッキプレートや避難ハッチを支持するための軽量溝形鋼等が、構造用合板等からなる床下地板や、木製の床根太に代えて用いられるようになっていることから、一般の木造建築物のバルコニー床に用いる構成部材とは異なる、多くの鋼製材料をバルコニー床に使用することになるため、施工が煩雑になると共に、材料のコストも高くなる。
【０００７】
本発明は、多くの鋼製材料を使用することなく、一般の木造建築物のバルコニー床に用いる構成部材と同様の材料を用いて、所望の耐火性能及び防水性能を保持した状態で、避難ハッチをバルコニー床に効率良く取り付けることのできる避難ハッチの取付け構造を提供することを目的とする。
【課題を解決するための手段】
【０００８】
本発明は、木造建築物のバルコニー床（ベランダや屋外廊下等の床を含む）に設置される避難ハッチの取付け構造であって、前記バルコニー床には、床根太の上方に敷設された床下地板を覆って上面耐火ボードが取り付けられていると共に、床根太の下方に下面耐火ボードが取り付けられており、且つ前記バルコニー床を上下に貫通して形成されたハッチ取付開口の内壁面を形成して、内壁面耐火ボードが、前記上面耐火ボードと前記下面耐火ボードとの間隔部分を閉塞するように取り付けられており、前記ハッチ取付開口の開口周縁部分の前記上面耐火ボードの上に、前記避難ハッチの取付枠部材が取り付けられており、前記避難ハッチは、筒状本体枠と、該筒状本体枠から外側に張り出して設けられた取付けフランジ部とを備えており、前記避難ハッチは、前記取付けフランジ部を前記取付枠部材の防水処理が施された上面に載置して荷重を支持させると共に、前記筒状本体枠の内側面から前記ハッチ取付開口の内側面に向けて打込み固定部材を打ち込むことで、前記ハッチ取付開口に固定されている避難ハッチの取付け構造を提供することにより、上記目的を達成したものである。
【０００９】
そして、本発明の避難ハッチの取付け構造は、前記バルコニー床の上面や前記取付枠部材の外周面には、ＦＲＰ防水による防水処理が施されていることが好ましい。
【００１０】
また、本発明の避難ハッチの取付け構造は、前記避難ハッチの前記取付けフランジ部と前記取付枠部材の上面との間に乾式コーキング材が挟み込まれていることが好ましい。
【００１１】
さらに、本発明の避難ハッチの取付け構造は、前記上面耐火ボードの上方に断熱パネル部材が敷設されており、該断熱パネル部材の上方に、防水下地材が敷設されていることが好ましい。
【００１２】
さらにまた、本発明の避難ハッチの取付け構造は、前記取付枠部材の上端部分に防水下地材が取り付けられており、前記避難ハッチの前記取付けフランジ部が載置される上面は、前記防水下地材の上面によって形成されていることが好ましい。
【発明の効果】
【００１３】
本発明の避難ハッチの取付け構造によれば、多くの鋼製材料を使用することなく、一般の木造建築物のバルコニー床に用いる構成部材と同様の材料を用いて、所望の耐火性能及び防水性能を保持した状態で、避難ハッチをバルコニー床に効率良く取り付けることができる。
【図面の簡単な説明】
【００１４】
【図１】本発明の好ましい一実施形態に係る避難ハッチの取付け構造の構成を説明する略示断面図である。
【図２】図１のＡ部拡大図である。
【図３】（ａ）は避難ハッチの略示上面図、（ｂ）は（ａ）のＢ−Ｂに沿った断面図である。
【発明を実施するための形態】
【００１５】
本発明の好ましい一実施形態に係る避難ハッチの取付け構造１０は、例えばツーバーフォー構法によって構築された４階建ての木造建築物において、図１に示すように、屋外領域として設けられたバルコニー部１１の、平面形状が横長矩形の床部分をバルコニー床１２として、当該バルコニー床１２の横長方向（図１における紙面の表裏方向）の一端部分に、避難ハッチ１３を取り付けるための構造として採用されたものである。本実施形態では、バルコニー床１２は、建物本体の外壁１４から１０００ｍｍ程度の張出し幅で設けられると共に、外周部分から立設して、手摺壁１５が設けられている。避難ハッチ１３は、バルコニー床１２の横長方向の一端部分に開口形成された例えば縦横６００〜７００ｍｍ程度の大きさの、矩形の中空断面形状を備えるハッチ取付開口１６に、嵌め込むようにして取り付けられている。
【００１６】
また、本実施形態では、バルコニー床１２は、これの上面、下面、及び取付開口１６の内側面に、例えば石膏ボードからなる耐火ボード１９，２０，２１が取り付けられていることにより、所望の耐火性能が得られるようになっていると共に、上面に好ましくはＦＲＰ防水による防水処理２５が施されていることにより、所望の防水性能が得られるようになっている。
【００１７】
さらに、本実施形態では、バルコニー床１２の外周部分から立設する手摺壁１５の外周面にも、例えばスラグ石膏ボードからなる耐火ボードが取り付けられている。
【００１８】
そして、本実施形態の避難ハッチの取付け構造１０は、木造建築物のバルコニー床１２に避難ハッチ１３を設置するための取付け構造であって、バルコニー床１２には、床根太１７の上方に敷設された床下地板１８を覆って上面耐火ボード１９が取り付けられていると共に、床根太１７の下方に下面耐火ボード２０が取り付けられており、且つバルコニー床１２を上下に貫通して形成されたハッチ取付開口１６の内壁面を形成して、内壁面耐火ボード２１が、上面耐火ボード１９と下面耐火ボード２０との間隔部分を閉塞するように取り付けられている。ハッチ取付開口１６の開口周縁部分の上面耐火ボード１９の上に、避難ハッチ１３の取付枠部材２２が、ハッチ取付開口１６を囲んで環状に取り付けられている。避難ハッチ１３は、避難はしご（図示せず）を内部に収容することが可能な筒状本体枠１３ａと、筒状本体枠１３ａから外側に張り出して設けられた取付けフランジ部１３ｂとを備えている。避難ハッチ１３は、取付けフランジ部１３ｂを取付枠部材２２の防水処理２５が施された上面２３に載置して荷重を支持させると共に、筒状本体枠１３ａの内側面からハッチ取付開口１６の内側面に向けて打込み固定部材２４を打ち込むことで、ハッチ取付開口１６に固定されている。
【００１９】
また、本実施形態では、図２にも示すように、バルコニー床１２の上面や取付枠部材２２の外周面には、ＦＲＰ防水による防水処理２５が施されている。
【００２０】
さらに、本実施形態では、避難ハッチ１３の取付けフランジ部１３ｂと、取付枠部材２２の防水処理が施された上面２３（上段防水下地材３１ｂによる上面）との間に乾式コーキング材２６が挟み込まれている（図２参照）。
【００２１】
さらにまた、本実施形態では、上面耐火ボード１９の上方に断熱パネル部材２７が敷設されており、断熱パネル部材２７の上方に、床面防水下地材２８が敷設されている。
【００２２】
本実施形態では、バルコニー床１２を構成する床下地板１８は、例えば厚さ１５ｍｍ程度の構造用合板からなり、バルコニー部１１に骨組部材として配置された床根太１７の上端面に密着載置して支持させた状態で、建物本体の屋内側に敷設された床下地板１８’と連続して配置されている。床下地板１８における、バルコニー床１２の横長方向（図１における紙面の表裏方向）の一端部分には、ハッチ取付開口１６の一部となる下地板切欠き開口１８ａが、ハッチ取付開口１６よりも一回り大きな矩形の開口として形成されている。
【００２３】
床下地板１８を覆って取り付けられる上面耐火ボード１９は、本実施形態では、２枚重ねして配置された、例えば厚さ２１ｍｍの強化石膏ボードによる下側上面耐火ボード１９ａと、厚さ１５ｍｍの強化石膏ボードによる上側上面耐火ボード１９ｂとからなる。上面耐火ボード１９は、バルコニー部１１に延設する床下地板１８の全体を覆って取り付けられると共に、床下地板１８に形成された下地板切欠き開口１８ａと合致する位置に、これと同様の大きさ及び形状の上面耐火ボード切欠き開口１９ｃが形成されている。
【００２４】
床根太１７の下方に取り付けられる下面耐火ボード２０は、本実施形態では、上面耐火ボード１９と同様に、２枚重ねして配置された、例えば厚さ２１ｍｍの強化石膏ボードによる上側下面耐火ボード２０ａと、厚さ１５ｍｍの強化石膏ボードによる下側下面耐火ボード２０ｂとからなる。下面耐火ボード２０は、上側下面耐火ボード２０ａによる上面を床根太１７の下端面に密着固定して支持させた状態で取り付けられることで、バルコニー部１１の底面壁を形成する。下面耐火ボード２０の下方には、下側下面耐火ボード２０ｂによる下面を覆って、例えば厚さ１６ｍｍの窯業系サイディングによる下面仕上ボード２９が取り付けられている。
【００２５】
また、下面耐火ボード２０と下面仕上ボード２９には、床下地板１８に形成された下地板切欠き開口１８ａと合致する位置に、これと同様又は略同様の大きさ及び形状の切欠き開口が形成されている。すなわち、下面耐火ボード２０の上側下面耐火ボード２０ａには、上側耐火ボード切欠き開口２０ｃが、ハッチ取付開口１６よりもやや大きな矩形の開口として形成されており、下側下面耐火ボード２０ｂには、下側耐火ボード切欠き開口２０ｄが、ハッチ取付開口１６よりもやや大きく且つ上側耐火ボード切欠き開口２０ｃよりもやや小さな矩形の開口として形成されている。下面仕上ボード２９には、下面仕上ボード切欠き開口２９ａが、ハッチ取付開口１６と同様の大きさの矩形の開口として形成されている。これによって、これらの切欠き開口２０ｃ，２０ｄ，２９ａの開口縁部には、開口幅が上段に向かって広がる段差部が形成されることになる。
【００２６】
ハッチ取付開口１６の内壁面を形成する内壁面耐火ボード２１は、本実施形態では、上面耐火ボード１９や下面耐火ボード２０と同様に、２枚重ねして配置された、例えば厚さが２１ｍｍの強化石膏ボードによる外側内壁面耐火ボード２１ａと、厚さ１５ｍｍの強化石膏ボードによる内側内壁面耐火ボード２１ｂとからなり、上面耐火ボード１９と下面耐火ボード２０との間隔部分を、内側から閉塞するようにして取り付けられる。すなわち、外側内壁面耐火ボード２１ａは、その下端面を、上側下面耐火ボード２０ａの上側耐火ボード切欠き開口２０ｃの開口周縁部の上面に密着当接させると共に、上部外側面を、床下地板１８及び上面耐火ボード１９の開口側端面に密着当接させ、且つ上端面を、後述する取付枠部材２２の上部枠２２ｂの下面に当接させた状態で取り付けられる。内側内壁面耐火ボード２１ｂは、その下端部を、上側下面耐火ボード２０ａ及び下側下面耐火ボード２０ｂの開口周縁部における段差部分に当接係止させると共に、外側面を、外側内壁面耐火ボード２１ａの内側面に一体接合させ、且つ上端面を、後述する取付枠部材２２の上部枠２２ｂの下面に当接させた状態で取り付けられる。
【００２７】
また、本実施形態では、内側内壁面耐火ボード２１ｂの内側面を覆って、例えば厚さ１６ｍｍの窯業系サイディングによる内壁面仕上ボード３０が取り付けられている。内壁面仕上ボード３０は、その下端部を、下側下面耐火ボード２０ｂ及び下面仕上ボード２９の開口周縁部における段差部分に当接係止させると共に、外側面を、内側内壁面耐火ボード２１ｂの内側面に密着接合させ、且つ上端面を、後述する取付枠部材２２の上部枠２２ｂの上面に沿わせた状態で取り付けられる。ハッチ取付開口１６は、周囲を内壁面仕上ボード３０によって囲まれた状態で形成される。
【００２８】
ハッチ取付開口１６の開口周縁部分に取り付けられる取付枠部材２２は、ハッチ取付開口１６よりも一回り大きな矩形の枠形状を備えるように環状に組み付けられる。取付枠部材２２は、例えば幅３８ｍｍ、高さ５６ｍｍ程度の縦長矩形断面形状を有する角材からなる下部枠２２ａと、例えば幅９０ｍｍ、高さ３８ｍｍ程度の横長矩形断面形状を有する角材からなる上部枠２２ｂとからなり、上部枠２２ｂの外側端面を下部枠２２ａの外側面に沿わせると共に、上部枠２２ｂの内側部分を下部枠２２ａよりも内側に張り出させた状態で、上部枠２２ｂと下部枠２２ａとが一体として接合されている。取付枠部材２２は、下部枠２２ａを、ハッチ取付開口１６を囲んだ開口周縁部分における、上面耐火ボード１９の上側上面耐火ボード１９ｂによる上面に載置して接合固定することにより、上部枠２２ｂの下面に外側内壁面耐火ボード２１ａや内側内壁面耐火ボード２１ｂの上端面を当接させた状態で、バルコニー床１２に一体として取り付けられる。
【００２９】
また、本実施形態では、上部枠２２ｂの上面には、例えば厚さ１６ｍｍのスラグ石膏ボードによる下段防水下地材３１ａが、内側端面をハッチ取付開口１６の内壁面仕上ボード３０による開口内壁面に沿わせた状態で取り付けられており、下段防水下地材３１ａの上面には、例えば厚さ１１ｍｍのスラグ石膏ボードによる３５ｍｍ幅の上段防水下地材３１ｂが、内側端面をハッチ取付開口１６の内壁面仕上ボード３０による開口内壁面に沿わせた状態で取り付けられている。上段防水下地材３１ｂの上面には、好ましくはＦＲＰ防水による防水処理２５が施されており、当該上段防水下地材３１ｂよる上面を取付枠部材２２の上面２３として、避難ハッチ１３の取付けフランジ部１３ｂを載置させるようになっている。下段防水下地材３１ａの上部枠２２ｂよりも内側に張り出した部分の下面には、内壁面仕上ボード３０の上端面が当接した状態で配置される。
【００３０】
本実施形態では、取付枠部材２２が取り付けられた部分を除いて、バルコニー床１２の上面部分には、上面耐火ボード１９の上方に断熱パネル部材２７が敷設されていると共に、断熱パネル部材２７の上方に床面防水下地材２８が敷設されている。断熱パネル部材２７は、例えば発泡プラスチック断熱材等からなり、これの上面に配設した構造用合板３３を介して上方からの荷重を受けるようにした状態で、上面耐火ボード１９の上方に敷設される。また、断熱パネル部材２７は、上面が傾斜面となった勾配断熱パネルとすることが好ましく、これによって、バルコニー床１２に排水勾配を容易に形成することが可能になる。なお、断熱パネル部材２７と床面防水下地材２８との間に構造用合板３３を設けないで、床面防水下地材２８と防水処理２５との間に例えば３．５ｍｍ程度の厚さの絶縁シートを設けることもできる。
【００３１】
断熱パネル部材２７の上方に敷設される床面防水下地材２８は、例えば厚さ８ｍｍのスラグ石膏ボードからなり、例えば断熱パネル部材２７との間に例えば厚さ１２ｍｍの構造用合板３３を介在させた状態で、断熱パネル部材２７の上方に敷設される。また床面防水下地材２８は、取付枠部材２２の上部枠２２ｂの外側端面を覆って取り付けられた、例えば厚さ１６ｍｍのスラグ石膏ボードによる外側防水下地材３４に、端面を付き合わせた状態で敷設される。
【００３２】
上面耐火ボード１９の上方に断熱パネル部材２７を敷設すると共に、断熱パネル部材２７の上方に床面防水下地材２８を敷設してバルコニー床１２を形成することにより、バルコニー床１２の耐火性能及び防水性能を、さらに向上させることが可能になる。
【００３３】
また、本実施形態では、上述のようにして形成されたバルコニー床１２の床面防水下地材２８による上面や、バルコニー床１２に設置された取付枠部材２２の、下段防水下地材３１ａや上段防水下地材３１ｂや外側防水下地材３４による外周面には、好ましくはＦＲＰ防水による防水処理２５が施されている。本実施形態では、防水処理２５は、内壁面仕上ボード３０の上端部内側面から、下段防水下地材３１ａ、上段防水下地材３１ｂ、及び外側防水下地材３４の外周面を経て、バルコニー床１２の床面防水下地材２８の上面まで、連続した状態で施されており、さらに建物本体の外壁１４の下端部まで連続して施工されている。これによってバルコニー床１２は、所望の耐水性能を備えることになる。ここで、ＦＲＰ防水は、液状の不飽和ポリエステル樹脂に硬化剤を加えて混合し、この混合物をガラス繊維などの補強材と組み合わせて一体にした塗膜防水であり、出来上がった防水層は継ぎ目のないシームレスな構造となる。ＦＲＰ防水は、強度が大きく耐久性に優れた繊維強化プラスチックを防水分野に応用したもので、軽量かつ強靭で耐水性・耐食性・耐候性に優れていることが特長であり、木造住宅のバルコニーなどの防水として多く採用されている。なお、防水処理２５は、ＦＲＰ防水によるものである必要は必ずしもなく、例えばシート防水等による防水処理２５であっても良い。
【００３４】
そして、本実施形態によれば、上述のようにして形成されたバルコニー床１２のハッチ取付開口１６には、避難ハッチ１３が、嵌め込むようにして取り付けられる。
【００３５】
ここで、避難ハッチ１３は、図３（ａ）、（ｂ）にも示すように、予め既製品として製作された、避難はしご（図示せず）を収容可能な公知の避難器具である。避難ハッチ１３は、例えば縦横６００〜７００ｍｍ程度の大きさの矩形の中空断面形状を備えるハッチ取付開口１６（図１参照）に収まる大きさとして、外寸法が例えば縦横５２０〜６４０ｍｍ程度の大きさの、矩形の中空平面形状を有する鋼製の筒状本体枠１３ａと、筒状本体枠１３ａから外側に張り出して設けられた、例えば幅７５ｍｍ程度の取付けフランジ部１３ｂとを含んで形成されている。取付けフランジ部１３ｂは、Ｌ字断面形状を備える張出し枠１３ｃの、張出しプレート部によって形成されている。張出し枠１３ｃは、基端プレート部１３ｄを筒状本体枠１３ａの外周面に溶接して接合することにより、張出しプレート部による取付けフランジ部１３ｂを全周に亘って外側に張り出させた状態で、筒状本体枠１３ａに一体として取り付けられている。また避難ハッチ１３には、さらに、上蓋１３ｆ、下蓋１３ｇ、ステー装置１３ｈ等が設けられている。避難はしご（図示せず）は、はしご固定用ボルト部材１３ｅを介して筒状本体枠１３ａの内部に収容することができる。
【００３６】
また、本実施形態では、ハッチ取付開口１６に避難ハッチ１３を取り付けるのに先立って、図２に示すように、取付枠部材２２の防水処理２５が施された上段防水下地材３１ｂによる上面２３に、乾式コーキング材２６が重ねて配設される。乾式コーキング材２６は、例えば独立発泡した発泡部材を好ましく用いることができ、具体的には、厚さが２ｍｍの商品名「エプトシーラー」（日東電工株式会社製）を用いることができる。乾式コーキング材２６は、矩形環状に配置された上段防水下地材３１ｂの上面２３の全周に、連続して配設される。
【００３７】
本実施形態では、避難ハッチ１３は、取付けフランジ部１３ｂを、乾式コーキング材２６が重ねて配設された、取付枠部材２２の防水処理２５が施された上段防水下地材３１ｂによる上面２３に、乾式コーキング材２６を挟み込んだ状態で載置すると共に、筒状本体枠１３ａをハッチ取付開口１６に嵌め込むようにして、バルコニー床１２に取り付けられる。これによって避難ハッチ１３の荷重は、取付枠部材２２及び構造用合板による床下地板１８を介して、床根太１７によって強固に且つ安定した状態で支持されることになる（図１参照）。
【００３８】
本実施形態では、取付けフランジ部１３ｂは、例えば７５ｍｍの幅を有しており、３５ｍｍ幅の上段防水下地材３１ｂの上面２３に載置されて、これの外周部分が、上段防水下地材３１ｂの外側に食み出している（図２参照）。この取付けフランジ部１３ｂの外側に食み出した部分と、下段防水下地材３１ａの防水処理２５が施された上面２３との間隔部分を閉塞して、例えば変性シリコン等からなるシーリング部材３６が取り付けられている。
【００３９】
また、本実施形態では、取付枠部材２２の上面２３に載置された取付けフランジ部１３ｂから、防水処理が施された上段防水下地材３１ｂによる当該取付枠部材２２の上面２３に向けて、固定釘や固定ビス等の打込み固定部材を打ち込むことなく、図１に示すように、筒状本体枠１３ａの内側面から内壁面耐火ボード２１に向けて打込み固定部材２４を打ち込むことで、避難ハッチ１３をハッチ取付開口１６に固定する。すなわち、本実施形態では、打込み固定部材２４の複数の打ち込み箇所において、内壁面仕上ボード３０によるハッチ取付開口１６の内側面と筒状本体枠１３ａの外側面との間隔部分に間詰め部材３５ａを介在させた状態で、打込み固定部材２４として例えば固定釘を、筒状本体枠１３ａの内側面から、ハッチ取付開口１６の内側面に向けて打ち込むことで、避難ハッチ１３がハッチ取付開口１６に固定される。本実施形態では、打込み固定部材２４は、筒状本体１３ａの内側面から、筒状本体１３ａ、内壁面仕上ボード３０、内側内壁面耐火ボード２１ｂ、外側内壁面耐火ボード２１ａ、及び外側内壁面耐火ボード２１ａと下部枠２２ａと間に挟み込まれた間詰め部材３５ｂを貫通させて、取付枠部材２２の下部枠２２ａに至る深さまで打ち込まれる。
【００４０】
これらによって、本実施形態の避難ハッチの取付け構造１０によれば、多くの鋼製材料を使用することなく、一般の木造建築物のバルコニー床に用いる構成部材と同様の、構造用合板や耐火ボードや断熱パネル等の材料を用いて、所望の防水性能を保持すると共に、取付枠部材２２の上面２３に載置された取付けフランジ部１３ｂに打込み固定部材を打ち込むことなく避難ハッチ１３を固定することにより、防水処理層が破損しないようにして所望の防水性能を保持した状態で、避難ハッチ１３をバルコニー床１２に効率良く取り付けることが可能になる。
【００４１】
また、本実施形態によれば、バルコニー床１２の上面や取付枠部材２２の外周面に、ＦＲＰ防水による防水処理２５が施されていたり、避難ハッチ１３の取付けフランジ部１３ｂと取付枠部材２２の防水処理２５が施された上段防水下地材３１ｂによる上面２３との間に乾式コーキング材２６が挟み込まれていたり、取付けフランジ部１３ｂの外側に食み出した部分と、下段防水下地材３１ａの防水処理２５が施された上面２３との間隔部分にシーリング部材３６が取り付けられていたりすることによって、避難ハッチ１３や取付枠部材２２が取り付けられた部分の防水性能を、さらに効果的に向上させることが可能になる。
【００４２】
なお、本発明は上記実施形態に限定されることなく種々の変更が可能である。例えば、避難ハッチの取付けフランジ部と取付枠部材の上面との間に乾式コーキング材を挟み込む必要は必ずしも無い。バルコニー床の上面や取付枠部材の外周面に施される防水処理は、ＦＲＰ防水以外のものであっても良い。上面耐火ボードや下面耐火ボードや内壁面耐火ボードは、２枚重ねして設置する必要は必ずしも無い。また、本発明の避難ハッチの取付け構造は、ツーバーフォー構法によって構築された木造建築物の他、木軸構法等の、その他の種々の構法によって構築された木造建築物にも採用することができる。
【符号の説明】
【００４３】
１０  避難ハッチの取付け構造
１１  バルコニー部
１２  バルコニー床
１３  避難ハッチ
１３ａ  筒状本体枠
１３ｂ  取付けフランジ部
１４  建物本体の外壁
１５  手摺壁
１６  ハッチ取付開口
１７  床根太
１８  床下地板
１９  上面耐火ボード
２０  下面耐火ボード
２１  内壁面耐火ボード
２２  取付枠部材
２３  取付枠部材の防水処理が施された上面
２４  打込み固定部材
２５  防止処理
２６  乾式コーキング材
２７  断熱パネル部材
２８  床面防水下地材
３１ａ  下段防水下地材
３１ｂ  上段防水下地材
３４  外側被覆耐火ボード
【図１】
2014237934.tif 000003
【図２】
2014237934.tif 000004
【図３】
2014237934.tif 000005